(57)【特許請求の範囲】
【請求項１】
間隔を隔てて設けられた建物躯体の間隙部を挟んで上記両建物躯体上にそれぞれ支持部材を対向して設け、これら両支持部材にカバー材を摺動可能に架設した床用エキスパンションジョイントにおいて、
上記両支持部材のうち一方の支持部材は一方の建物躯体の間隙部に沿って設け、他方の支持部材は上記間隙部に沿う内側位置に配置される内側支持部材とこの内側支持部材の上記間隙から遠い外側位置に配置された外側支持部材とから構成し、
上記内側支持部材は止水板取付縁と上記建物躯体に固定するための固定縁とを備え、上記外側支持部材は中央の水平部の内側を低く外側を高く傾斜させた傾斜部を備えるとともに、
上記カバー材の一側を上記一方の支持部材に係止し、他側を上記他方の支持部材上に摺動可能に載置した
ことを特徴とする床用エキスパンションジョイント。
【請求項２】
前記内側支持部材と外側支持部材との間にモルタル、金属材等の仕上げ材を配した、請求項１記載の床用エキスパンションジョイント。
【請求項３】
前記内側支持部材と外側支持部材とは、前記間隙部に平行に設けられている、請求項１記載の床用エキスパンションジョイント。
【発明の詳細な説明】
【０００１】
【発明の属する技術分野】
本発明は、相対する建物躯体のそれぞれに設けられた支持部材にカバー材を架設した床用エキスパンションジョイントに関する。
【０００２】
【従来技術】
一般に、エキスパンションジョイントは、間隔を隔てて設けられた建物躯体の間隙部を挟んで支持部材を対向して設け、これら両支持部材にカバー材を摺動可能に架設したもので、これまでのエキスパンションジョイントは、両側の支持部材はそれぞれ一体のものとして構成され、この支持部材に対して、地震や不同沈下に対応できるように、カバー材が摺動可能あるいは回動可能となるように構成されていた。
【０００３】
【発明が解決しようとする課題】
しかしながら、従来の支持部材は、それぞれ一体のものとして構成されていたから、カバー材の支持が必ずしも十分ではなかった。特に、床用エキスパンションジョイントにおいては、カバー材は床を兼用するので、人や台車の通行時の荷重に十分に耐えるため、頑丈で重量が重い材料で構成されるため、支持部材にもかなりの支持強度が要求される。
【０００４】
【発明が解決しようとする課題】
本発明は上記問題点）を解消し、十分な支持強度が得られる床用エキスパンションジョイントを提供することをその課題とする。
【０００５】
【発明を解決するための手段】
前記課題を解決するため、本発明に係る床用エキスパンションジョイントは、間隔を隔てて設けられた建物躯体の間隙部を挟んで上記両建物躯体上にそれぞれ支持部材を対向して設け、これら両支持部材にカバー材を摺動可能に架設した床用エキスパンションジョイントにおいて、上記両支持部材のうち一方の支持部材は一方の建物躯体の間隙部に沿って設け、他方の支持部材は上記間隙部に沿う内側位置に配置される内側支持部材とこの内側支持部材の上記間隙から遠い外側位置に配置された外側支持部材とから構成し、上記内側支持部材は止水板取付縁と上記建物躯体に固定するための固定縁とを備え、上記外側支持部材は中央の水平部の内側を低く外側を高く傾斜させた傾斜部を備えるとともに、  上記カバー材の一側を上記一方の支持部材に係止し、他側を上記他方の支持部材上に摺動可能に載置したことを特徴とする。
【０００６】
なお、前記内側支持部材と外側支持部材との間にモルタル、金属材等の仕上げ材を配するのが好ましい。
【０００７】
また、前記内側支持部材と外側支持部材とは、前記間隙部に平行に設けるのが望ましい。
【０００８】
【発明の実施の形態】
図1は床用エキスパンションジョイントの断面図を示すもので、同図において符号１、２はそれぞれ互いに間隔を隔てて設けられた建物躯体を示す。これらの建物躯体１、２には間隙部Ｓを挟んで支持部材３、４が設けられている。そして、両支持部材３、４間にはカバー材５が摺動可能に架設されている。
【０００９】
前記カバー材５は、金属製のベース板５ａの上に石、タイル、モルタル、木、床化粧板等からなる仕上げ部材５ｂを固定し、ベース板５ａの裏面に補強部材５ｃを固定したものである。補強部材５ｃの両端はＺ字形に屈曲形成され、裏面には図２に示されるように、凹部と凸部とが連続波板、棒材などで形成されている。補強部材５ｃはベース板５ａ及び仕上げ部材５ｂよりも幅狭である。なお、補強部材５ｃの一方の（図１に向かって左側の）端部から下方に係止片７が形成されている。補強部材５ｃの他方の端部２２は傾斜するように形成されている。また、仕上げ部材５ｂの両側端にはエッジ部材８が一体又は回動自在（図示せず）に固定されている。
【００１０】
次に、一方の支持部材３は一方の建物躯体１の間隙部Ｓに沿って設けられている。この支持部材３は中空部９と止水板１０の取付縁１１と固定縁１２とを備えた内支持部３aと、内支持部３aの外側に一体的に並列固定された外支持部３bとから形成されている。外支持部３bは上記固定縁１２と一部が重合する重合縁１３と段部１３ａと傾斜部１５とを備えている。重合縁１３の端部には係止部１６が形成されている。なお、固定縁１２は建物躯体１に設けられた差筋１７のアンカー１７状の取付金具１８（図３参照）を介して固定されている。
【００１１】
他方の支持部材４はそれぞれ上記間隙部Ｓに沿う位置と上記間隙から遠い位置に離隔して配置された内側支持部材２０と外側支持部材２１とから構成されている。すなわち、内側支持部材２０は一方の建物躯体１に設けた内支持部材の支持部３ａと同じものであって、中空部９と止水板１０の取付縁１１と固定縁１２とを備え、固定縁１２は建物躯体２に設けられた差筋１７のアンカー状の取付金具１８を介して固定されている。また、外側支持部材２１は中央の水平部２５と、その両側の上下方向の傾斜部２６、２７とから構成され、取付金具２８は差筋やボルトの止め具を介して建物躯体２に固定されている。
【００１２】
内側支持部材２０と外側支持部材２１とは離隔され、分離されて前記間隙部Ｓに平行に設けられている。
【００１３】
また、内側支持部材２０と外側支持部材２１との間にはモルタル、タイル、木、金属材、樹脂材等の仕上げ材２９が配されている。仕上げ材２９の高さは内側支持部材２０の高さと略面一になるようにする。
【００１４】
次に、上記カバー材５によって上記間隙部Ｓを覆うにあたっては、上記カバー材５の一側の背面ベース板５ｃ端が内支持部３ａと外支持部３ｂに最低位置を別々にさせながら上記係止片７を上記一方の支持部材３の係止部１６に係止し、他側を上記内側支持部材２０と外側支持部材２１上に載置位置を別々にし摺動可能に載置する。内側支持部材２０と仕上げ材２９及び外側支持部材２１はそれぞれ補強部材５ｃを摺動可能に支持している。このとき、カバー材５の一側のベース板５ａの側端部は、一方の支持部材３の内支持部３aと外支持部３bとに支持され、他方の支持部材４の内外側支持部材２０、２１と仕上げ材２９も同様に容易支持されている。なお、エッジ部材８は建物躯体の表面に係合している。
【００１５】
上記構成によれば、通常の状態では図１に示されるように、カバー材５の一側は一方の支持部材３に係止し、他側はそのベース板５ａ及び補強部材５ｃが内側支持部材２０、仕上げ材２９及び外側支持部材２１の強い強度で支持しながら摺動可能に支持されているから、カバー材５は安定に支持される。そして、震動、温度変化、不同沈下等が発生したときは、両建物躯体及び躯体間の間隙が相対的に上下、前後あるいは左右の方向に変位するが、上記間隙が広くなるときは、カバー材５の一端は一方の建物躯体１の支持部材３に係止しているので、カバー材５の他方の側が他方の建物躯体２の内側支持部材２０と仕上げ材２９上を摺動して変位に安定に対応する。そして、両建物躯体が接近するように変動するときは、図４のように、カバー材５の両側端は、一方の支持部材３の外支持部３bの傾斜部１５と、他方の支持部材４の外側支持部材２１の各傾斜部２６、２７とを同時又は順次に乗り越えて移動する。なお、接近の変位が還元されて図１のようにカバーさ５も還元する。したがって、建物躯体１、２がどのように変動してもこれに対応することができる。
【００１６】
なお、一方の建物躯体１が立壁のときは、図５のように、凸状に屈折形成された立壁１に係止部１６を有する支持部材３を固定し、上記係止部１６にカバー材５の端縁を折り曲げされた係止片７を傾き回動可能に係止するように構成してもよく、図６のように、立壁１に凸壁１ａが形成されているときは、凸壁１ａに図示しない留め具を介してＬ字形のアンカー３０を固定し、このアンカー３０に屈折形成した係止部１６を有する支持部材３を固定し、上記係止部１６にカバー材５の係止片７を係止させるように構成して周壁の接近時でも一方の上記傾斜部２６にて上方にカバー材５が上昇するようにしてもよい。
【００１７】
また、他方の建物躯体２の支持部材４の外側支持部材２１を、図７のように、中央の水平部２５の内側に傾斜部２６を形成し、外側に段部３１を形成するように構成してもよい。
【００１８】
【発明の効果】
請求項１に係る発明によれば、建物躯体の間隙部を挟んで設けられた両支持部材のうち一方の支持部材は一方の建物躯体１の間隙部に沿って設け、他方の支持部材は他方の支持部材の上記間隙部に沿う位置と上記間隙から遠い位置にそれぞれ設けられた内側支持部材と外側支持部材とから構成したので、通常の状態では、カバー材の一側は一方の支持部材に係止し、他側は他方の支持部材の内側支持部材と仕上げ材及び外側支持部材とともにカバー材のベース板及び補強部材がともに支持対応しながら摺動可能に支持されているから、カバー材は強い支持力で安定に支持される。そして、上記両建物躯体が相対的に変位したときには、カバー材の一端は一方の建物躯体１の支持部材に係止し、カバー材の他方の側のベース板や補強部材が他方の建物躯体の別形成の内側支持部材や仕上げ材等の上を摺動して変位に対応する。したがって、建物躯体がどのように変動してもこれに対応して安定に載置することができる。
また、前記外側支持部材は、中央の水平部と、その両側上下の傾斜部とから構成されているので、カバー材は通常は水平部に支持され、両建物躯体が互いに接近したり離間したりすると、上記傾斜部に沿って段階的に移動できるので、カバー材に無理な力が加わることがない。したがって、両建物躯体が変動しても、カバー材が破損することがない。
【００１９】
請求項２に係る発明によれば、内側支持部材と外側支持部材との間にモルタル等の仕上げ材が配されるので、カバー材の支持面が広くなるので、カバー材を良好に支持することができる。
【００２０】
請求項３に係る発明によれば、前記内側支持部材と外側支持部材とは、前記間隙部に平行に設けられているので、強い複合的支持とともに、カバー材をどの位置でも均一に支持することができる。
【図面の簡単な説明】
【図１】  本発明に係るエキスパンションジョイントの断面図
【図２】  取付金具の斜視図
【図３】  両建物躯体が変位したときのカバー材の状態を示す断面図
【図４】  両建物躯体が変位したときのカバー材の他の状態を示す断面図
【図５】  一方の建物躯体１の支持部材の要部断面図
【図６】  上記支持部材の他の例の要部断面図
【図７】  他方の建物躯体の支持部材の要部断面図
【符号の説明】
３、４  支持部材
５  カバー材
２０  内側支持部材
２１  外側支持部材
【図１】
0003708452.tif 000002
【図２】
0003708452.tif 000003
【図３】
0003708452.tif 000004
【図４】
0003708452.tif 000005
【図５】
0003708452.tif 000006
【図６】
0003708452.tif 000007
【図７】
0003708452.tif 000008